(57)【要約】【課題】組立パネルの護岸壁を提供する。【解決手段】同じ高さ及び幅を有する四角板状のパネルをコンクリートで形成するが、各上下端に一定の深さを有する凹溝部を複数個形成した前面パネル、背面パネル及び側面パネルなどが複数個形成されて、これを上下に勾配を有するように組積し、内部を満たした護岸壁を形成して、溝、小河川、中級河川、川・貯水池の土手、山と道路との切開地、工場の躯体などの崩壊を防止するだけでなく、前面に形成された自然石と、勾配による段差部に花や木を植え付けることにより、自然にやさしくて外観が美麗になる護岸壁である。【選択図】図１
2006274790.tif 000002
【特許請求の範囲】
【請求項１】
コンクリート製の板状のパネルを組積し、その内部を満たして得られる組立式の護岸壁において、
同じ幅及び同じ高さを有する前面パネル（１０）、背面パネル（２０）及び側面パネル（３０）などを組積して護岸壁（４０）を形成するが、各上下端に一定の深さ及び幅を有する凹溝部（１０ａ、２０ａ）を複数個形成した前面パネル（１０）及び背面パネル（２０）と、各上下端に一定の深さ及び幅を有する前凹溝部（３０ａ、３０ｃ）及び後凹溝部（３０ｂ、３０ｄ）を形成し、その中央に貫通された排水ライン（３０ｅ）を形成した側面パネル（３０）などが複数個備えられて、
施工地の前面及び背面に前面パネル（１０）及び背面パネル（２０）を配列し、これらに垂直となるように側面パネル（３０）を組積した後、内部を満たす方式で前面パネル（１０）、背面パネル（２０）及び側面パネル（３０）を一定の高さに組積した護岸壁（４０）が形成されて施工地の崩壊を防止することを特徴とする組立パネルの護岸壁。
【請求項２】
前記前面パネル（１０）及び背面パネル（２０）の幅の半分となる幅を有し、その各上下端に凹溝部（１１ａ、２１ａ）を複数個形成する前面半パネル（１１）及び背面パネル（２１）と、
前記側面パネル（２０）の半分の高さを形成する基礎パネル（３１）及び仕上げパネル（３２）を形成するが、前記側面パネル（３０）の下端の前凹溝部（３０ａ）及び後凹溝部（３０ｂ）と同じ位置及びサイズをもって前凹溝部（３１ａ）及び後凹溝部（３１ｂ）をそれぞれ形成する基礎パネル（３１）と、前記側面パネル（３０）の上端の前凹溝部（３０ｃ）及び後凹溝部（３０ｄ）と同じ位置及びサイズをもって前凹溝部（３２ａ）及び後凹溝部（３２ｂ）をそれぞれ形成する仕上げパネル（３１）を備え、
護岸壁の組積時に前背面の各左右及び上下部に挟まれて、護岸壁の上下及び左右面が面一となることを特徴とする請求項１に記載の組立パネルの護岸壁。
【請求項３】
前記背面パネル（２０）と同じ厚さ及び高さを有し、各上下端に凹溝部（２２ａ）を複数個形成するが、背面パネル（２０）の幅の１／２ないし９／１０の幅を形成する背面コーナーパネル（２２）を形成し、
これを前面パネルの背面に組積することによって曲線を有する護岸壁が得られることを特徴とする請求項２に記載の組立パネルの護岸壁。
【請求項４】
前記各凹溝部（１０ａ、１１ａ、２０ａ、２１ａ、２２ａ）、前凹溝部（３０ａ、３０ｃ、３１ａ、３２ａ）及び後凹溝部（３０ｂ、３０ｄ、３１ｂ、３２ｂ）は、前面パネル（１０）の高さの０.２５倍の深さを形成し、
側面パネル（３０）の上端に形成する前凹溝部（３０ｃ）及び後凹溝部（３０ｂ）は、下端の前凹溝部（３０ａ）及び後凹溝部（３０ｄ）よりオフセット距離（Ｈ）ほど離れて形成されて、護岸壁が勾配を有することを特徴とする請求項１ないし請求項３のうち何れか１項に記載の組立パネルの護岸壁。
【請求項５】
前記前面パネル（１０）、背面パネル（２０）、側面パネル（３０）、基礎パネル（３１）及び仕上げパネル（３２）を形成するコンクリート（１）の内部には、段差部に沿って一定の厚さの鉄筋（２）を形成し、その内部にワイヤーメッシュ（３）を形成して剛性を増大させることを特徴とする請求項１ないし請求項３のうち何れか１項に記載の組立パネルの護岸壁。
【請求項６】
前記前面パネル（１０）及び前面半パネル（１１）の前面には、不規則に自然石（４）及び死石が一部突設され、その間に粗砂（５）及び砕砂が形成されて、外観が美麗になることを特徴とする請求項５に記載の組立パネルの護岸壁。
【発明の詳細な説明】
【技術分野】
【０００１】
本発明は、組立パネルの護岸壁に係り、同じ高さ及び幅を有する四角板状のパネルをコンクリートで形成するが、各上下端に一定の深さを有する凹溝部を複数個形成した前面パネル、背面パネル及び側面パネルなどが複数個形成されて、これを上下に勾配を有するように組積し、内部を満たした護岸壁を形成して、溝、小河川、中級河川、川・貯水池の土手、山と道路との切開地、工場の躯体などの崩壊を防止するだけでなく、前面に形成された自然石と、勾配による段差部に花や木を植え付けることによって自然にやさしくて、外観が美麗な護岸壁に関する。
【背景技術】
【０００２】
通常の護岸壁は、土圧に抵抗する最も一般的な構造物であって、道路、鉄道、港湾、防潮堤、橋台、再開発マンションなどの用地の制限による土地の最適の利用を目的として使用し、周辺でよく見られる護岸壁構造物としては、道路と境界をなす住宅敷地や山すそ等の傾斜面に設置されて、土圧及び雨水などの自然条件によりこれらの崩壊を防止する機能を行う。
【０００３】
最近には、あらかじめ製造されたコンクリートパネル（ブロック）を利用した組立式護岸壁の工法が開発され、その例として、特許文献１に開示されているように、四角形のパネル、Ｉ字状のパネル、Ｌ字状のパネル等を組み合わせて組積し、この内部を満たして護岸壁を得る方法が提示されているが、これは、各パネルは組積されつつ上下に緊結されていないので、安定性が低下するという問題点があり、特許文献２に開示されているように、支持ブロック及び凹溝が形成された結束ブロックが井字状に組積されるものの、第１補強ブロック及び第２補強ブロックが互いに共に組積されて護岸壁を形成するが、これは、各上下のブロックの間には空間が形成されて、内部を満たすときに別途に鋳型を設置しなければならないので、工期が延び、外観が美麗ではないという問題点があった。
【特許文献１】韓国特許登録第５８４０６号明細書
【特許文献２】韓国実用新案登録第１９４５３４号明細書
【発明の開示】
【発明が解決しようとする課題】
【０００４】
本発明は、前記問題点を解決するためになされたものであって、同じ高さを有する板状のコンクリートパネルを形成するが、各上下端にその高さの０.２５倍の深さを有する凹溝部を複数個形成した前面パネル、背面パネル及び側面パネルなどが複数個形成されて、これを各凹溝部と組み合わせて施工地に沿って井字状に組積し、その内部を満たした護岸壁を形成して、施工が容易であり、工期が短縮され、かつ施工面積が縮少されるので、溝、小河川、中級河川、川・貯水池の土手、山と道路との切開地、工場の躯体などの護岸壁として使用されて、崩壊を防止するだけでなく、前面に形成された自然石を利用して外観を美麗にするところにその目的がある。
【０００５】
また、前記側面パネルの上下端には、同じ距離の前凹溝部及び後凹溝部をそれぞれ形成するが、上端に形成された前凹溝部及び後凹溝部が、下端の前凹溝部及び後凹溝部よりオフセット距離ほど離れて形成され、これを組積することにより一定の角度の勾配が形成されて、安全性を高め、各段差部には土砂を置いて、そこに花や木などを植えることによって崩壊を防止し、自然にやさしい環境を造成するところに他の目的がある。
【０００６】
また、側面パネルと同じ形状を有するが、その幅が狭く、上下端に形成される凹溝部の距離がさらに狭い背面コーナーパネルを形成して、これをコーナーまたは山の切開地などの護岸壁の形成時に前面パネルの背面に使用することによって、護岸壁が自然な曲線を有するようにするところにさらに他の目的がある。
【課題を解決するための手段】
【０００７】
上記目的を達成するための本発明によるコンクリート製の板状のパネルを組積し、その内部を満たして得られる組立式の護岸壁は、同じ幅及び同じ高さを有する前面パネル（１０）、背面パネル（２０）及び側面パネル（３０）などを組積して護岸壁（４０）を形成するが、各上下端に一定の深さ及び幅を有する凹溝部（１０ａ、２０ａ）を複数個形成した前面パネル（１０）及び背面パネル（２０）と、各上下端に一定の深さ及び幅を有する前凹溝部（３０ａ、３０ｃ）及び後凹溝部（３０ｂ、３０ｄ）を形成し、その中央に貫通された排水ライン（３０ｅ）を形成した側面パネル（３０）などが複数個備えられて、施工地の前面及び背面に前面パネル（１０）及び背面パネル（２０）を配列し、これらに垂直となるように側面パネル（３０）を組積した後、内部を満たす方式で前面パネル（１０）、背面パネル（２０）及び側面パネル（３０）を一定の高さに組積した護岸壁（４０）が形成されて施工地の崩壊を防止することを特徴とする。
【発明の効果】
【０００８】
本発明は、同じ高さを有する板状のコンクリートパネルを形成するが、各上下端にその高さの０.２５倍の深さを有する凹溝部を複数個形成した前面パネル、背面パネル及び側面パネルなどが複数個形成され、これを各凹溝部に組み合わせて施工地に沿って井字状に組積し、その内部を満たした護岸壁を形成して、施工が容易であり、工期が短縮され、かつ施工面積が縮少されるので、溝、小河川、中級河川、川・貯水池の土手、山と道路との切開地、工場の躯体などの護岸壁として使用されて崩壊を防止するだけでなく、前面に形成された自然石によって外観を美麗にするという効果がある。
【０００９】
また、前記側面パネルの上下端には同じ距離の前凹溝部及び後凹溝部をそれぞれ形成するが、上端に形成された前凹溝部及び後凹溝部が、下端の前凹溝部及び後凹溝部とオフセット距離ほど離れて形成され、これを組積することによって一定の角度の勾配が形成されて安定性を高め、各段差部には土砂を置いて、そこに花や木などを植えることによって崩壊を防止し、自然にやさしい環境が造成されるという効果がある。
【００１０】
また、側面パネルと同じ形状であるが、その幅が小さく、上下端に形成される凹溝部の距離がさらに狭い背面コーナーパネルを形成して、コーナー、山の切開地などの護岸壁の形成時に前面パネルの背面に使用することによって護岸壁が自然な曲線を有することができるという効果がある。
【発明を実施するための最良の形態】
【００１１】
以下、添付図面に基づき、本発明の好適な実施の形態について説明する。
【００１２】
本発明は、組立パネルの護岸壁に係り、同じ高さ及び幅を有する四角板状のパネルをコンクリートで形成するが、各上下端に一定の深さを有する凹溝部を複数個形成した前面パネル、背面パネル及び側面パネルなどが複数個形成され、これを上下に勾配を有するように組積し、内部を満たした護岸壁を形成して、溝、小河川、中級河川、川・貯水池の土手、山と道路との切開地、工場の躯体などの崩壊を防止するだけでなく、前面に形成された自然石、勾配により発生する段差部に花及び木を植えることにより自然にやさしくて、外観が美麗な護岸壁を提供する。
【００１３】
本発明に係る組立パネルの護岸壁４０を説明すれば、板状のコンクリート１で形成した複数の前面パネル１０、背面パネル２０、側面パネル３０、基礎パネル３１及び仕上げパネル３２などを組積して護岸壁４０を形成するが、前面に自然石４が突設され、上下端にそれぞれ複数の凹溝部１０ａを形成した前面パネル１０と、上下端にそれぞれ複数の凹溝部２０ａを形成した背面パネル２０と、各上下端に形成された前凹溝部３０ａ、３０ｃ及び後凹溝部３０ｂ、３０ｄが上下に互いにオフセット距離Ｈほど離れて形成された側面パネル３０と、それぞれ上下端に前凹溝部３１ａ、３２ａ及び後凹溝部３１ｂ、３２ｂを形成した基礎パネル３１と、仕上げパネル３２とが複数個形成されて、施工底部に基礎パネル３１を平行に配列し、これに前面に前面パネル１０と背面に背面パネル２０とを互いに半値幅の位相をもって組積し、それに垂直に側面パネル３０が組積され、内部を満たすような方式で前面パネル１０、背面パネル２０及び側面パネル３０を一定の高さに組積し、最後に仕上げパネル３２が組積されて、内部を満たすことにより仕上げをした護岸壁４０を形成する概略的な構造である。
【００１４】
本発明は、コンクリート１でそれぞれ一定の厚さを有する四角形の板状に形成した前面パネル１０、前面半パネル１１、背面パネル２０、背面半パネル２１、側面パネル３０、基礎パネル３１及び仕上げパネル３２で大きく形成されるところ、各構造を図面を参照しつつ詳細に説明すれば、まず、前面パネル１０及び前面半パネル１１は、図２ないし図４に示すように、その前面に自然石４を一部突設させたものであり、前面パネル１０は、幅が高さより長く、各上下端にはこの高さの０.２５倍の深さと、これに挟まれる側面パネル３０、基礎パネル３１及び仕上げパネル３２の厚さをその幅とする組立溝１０ａをそれぞれ二つ、すなわち、合計で四つを形成し、前面半パネル１１は、前面パネル１０と同じ厚さ及び高さ及び０.５倍の幅を有するものであり、各上下端には、前面パネル１１と同じサイズの凹溝部１１ａをそれぞれ一つ、すなわち、合計で二つを形成する。
【００１５】
そして、背面パネル２０及び背面半パネル２１を説明すれば、背面パネル２０は、一定の厚さに前記前面パネル１０と同じ高さ及び幅を有するものであり、その上下端には前記前面パネル１０と同じ位置に同じ幅及び深さを有する合計で四つの組立溝１０ａを形成し、背面半パネル１１は、背面パネル１０と同じ厚さ及び高さ及び０.５倍の幅を有するものであり、前記前面半パネル１１と同じ位置に同じ幅及び深さを有する合計で二つの組立溝１１ａを形成する。
【００１６】
また、側面パネル３０は、一定の厚さに前記前面パネル１０と同じ高さに一定の幅を形成したものであり、これは、図５に示すように、各上下端には、前記前面パネル１０の厚さ及びその高さの０.２５倍の深さを有する前凹溝部３０ａ、３０ｃと、前記背面パネル２０の厚さ及びその高さの０.２５倍の深さを有する後凹溝部３０ｂ、３０ｄとを一定の距離ほど離してそれぞれ貫通形成するが、上端の前凹溝部３０ｃ及び後凹溝部３０ｄは、下端の前凹溝部３０ａ及び後凹溝部３０ｂより一側にオフセットされたオフセット距離Ｈほど離れて形成され、側面パネル３０の中心には長手方向に貫通する排水ライン３０ｅを形成するが、参考として、前記上下端の前凹溝部３０ａ、３０ｃ及び後凹溝部３０ｂ、３０ｄの距離は護岸壁４０の厚さを決定し、オフセット距離Ｈは、護岸壁４０の勾配（傾斜度）を決定する。
【００１７】
次いで、基礎パネル３１及び仕上げパネル３２について説明すれば、これは、前記側面パネル３０と同じ幅を有し、その高さの０.５倍の高さを形成するが、基礎パネル３１は、その上端には、前記側面パネル３０の下端に形成する前凹溝部３０ａ及び後凹溝部３０ｂと同じ位置に、同じ幅及び深さを有する前凹溝部３１ａ及び後凹溝部３０ｂをそれぞれ形成し、仕上げパネル３２は、その下端に前記側面パネル３０の上端に形成する前凹溝部３０ｃ及び後凹溝部３０ｄと同じ位置に、同じ幅及び深さを有する前凹溝部３２ａ及び後凹溝部３２ｂをそれぞれ形成する。
【００１８】
一方、各前面パネル１０、前面半パネル１１、背面パネル２０、背面半パネル２１、側面パネル３０、基礎パネル３１及び仕上げパネル３２の内外部の構造を図２ないし図５を参照して説明すれば、これらは、何れもコンクリート１で四角板状に形成するが、内部の中間層には段差部に沿って鉄筋２を形成し、その鉄筋２の内部の平面にはワイヤーメッシュ３を形成する。
【００１９】
また、前面パネル１０、前面半パネル１１の各前面には、１２０ないし１５０ミリの自然石４または死石が均一に分布されるが、その間の表面には粗砂５または砕砂などが一定の厚さに埋められて形成されるが、各上下端の凹溝部１０ａ、１１ａの延長線上に該当する表面を滑らかにして組積時の嵌め込みに干渉させず、側面パネル２０の上下端の中心には長手方向に金属または合成樹脂製のパイプ６が形成されて排水ライン３０ｅを形成し、前記前面パネル１０、前面半パネル１１、背面パネル２０、背面半パネル２１、側面パネル３０、基礎パネル３１及び仕上げパネル３２の側面には、アイボルトのようなリングを形成して、これにより設置を容易にする。
【００２０】
このように形成した前面パネル１０、前面半パネル１１、背面パネル２０、背面半パネル２１、側面パネル３０、基礎パネル３１及び仕上げパネル３２などを組積した護岸壁４０の構造を図６ないし図１０を参照して説明すれば、まず、基礎を固めた施工底部上に基礎パネル３１を配列するが、その前凹溝部３１ａが上側の前面に位置するように施工地に沿って平行に配列し、それに垂直に前面パネル１０及び背面パネル２０を挟んでそれぞれ固定するが、前面パネル１０をその凹溝部１０ａ及び基礎パネル３１の各前凹溝部３１ａに挟み、背面パネル２０は、前面パネル１０と半値幅の位相差をもって各凹溝部２０ａを基礎パネル３１の各後凹溝部３１ｂに挟んで固定させ、両端の最外側に形成する背面パネル２０には、前面パネル１０の両端と一致するように背面半パネル２１を挟むが、各凹溝部２１ａを最外側に組積された基礎パネル３１の各後凹溝部３１ａに挟んで固定する。
【００２１】
そして、これらの上部には側面パネル３０を、前記組積された前面パネル１０及び背面パネル２０の垂直方向に挟んで固定するが、側面パネル３０の下端の前凹溝部３０ａ及び後凹溝部３０ｂを、組積されて対向する前面パネル１０及び背面パネル２０の各凹溝部１０ａ、２０ａにそれぞれ挟んで固定した後、前記基礎パネル３０、前面パネル１０、背面パネル２０及び側面パネル３０が順次に組立てられて形成された空間には土砂、砂利、コンクリート、土などを満たすことによって護岸壁４０の基礎及び第１列を得る。
【００２２】
次いで、前面パネル１０及び背面パネル２０を前記組立てられた側面パネル３０に垂直にそれぞれ挟んで固定するが、下端に形成された前面パネル１０及び背面パネル２０より半値幅の位相をもってオフセットして挟んで固定し、両端の最外側に形成する前面パネル１０には、背面パネル２０の両端と一致するように前面半パネル１１を挟むが、その凹溝部１１ａを最外側に組積された側面パネル３０の後凹溝部３０ｄに挟んで固定してさらに側面パネル３０を組立てるが、その前凹溝部３０ａ、３０ｃが前面に位置するように固定した後に内部を満たし、このような方法で所望の高さに積み上げた後、最後に、図１０に示すように、仕上げパネル３２を組積された前面パネル１０及び背面パネル２０に垂直にそれぞれ挟むが、前記各前凹溝部３２ａ、３２ｂを各凹溝部１０ａ、２０ａに挟んで固定した後、内部を満たすことによって仕上げをした護岸壁４０を形成する。
【００２３】
このように形成した護岸壁４０は、同じ高さを形成する各前面パネル１０、前面半パネル１１、背面パネル２０、背面半パネル２１及び側面パネル３０と、その半分に形成する基礎パネル３１及び仕上げパネル３２に形成される各凹溝部１０ａ、１１ａ、２０ａ、２１ａ、前凹溝部３０ａ、３０ｃ、３１ａ、３２ａ及び後凹溝部３０ｂ、３０ｄ、３１ｂ、３２ｂは、各前面パネル１０の０.２５倍の深さ及び挟まれる相手の厚さに合う幅に形成されるので、互いに緊密に組積され、上下及び左右の面が面一となり、護岸壁４０の構造が有機的に連結されて外力にも強いという特徴を有する。
【００２４】
また、本発明に係る護岸壁４０は、側面パネル３０の各上下端に形成された各前凹溝部３０ａ、３０ｃ及び後凹溝部３０ｃ、３０ｄのオフセット距離Ｈを調節して、基礎パネル３１から仕上げパネル３２まで４°ないし３０°まで勾配を調節できるが、図１１に示す第１実施形態のように、オフセット距離Ｈを短くして４°ないし１０°の勾配を有する護岸壁４０は、上下の緊密性及び安定性を高め、かつ排水を容易にし、または、図１２に示す第２実施形態のように、オフセット距離Ｈを長くして２０°ないし３０°の勾配を有する護岸壁４０は、勾配によって発生する段差部には一定の厚さに土及び土砂を置いて花や木などを植えることによって、前面に形成する自然石１０ｂ、１１ｂと共に外観をさらに美麗にし、かつ自然にやさしいような感じを与える。
【００２５】
最後に、本発明に係る第３実施形態を図１３及び図１４を参照して説明すれば、これは、施工地のコーナー部分（隅部）に対する護岸壁４０を示すものであり、前記背面パネル２０と同じ厚さ及び高さを有するが、その幅をさらに狭く形成し、各上下端には凹溝部２２ａ（図示せず）をそれぞれ二つ、すなわち、合計で四つを形成するが、背面パネル２０に形成された凹溝部２０ａの距離より狭く形成した背面コーナーパネル２２を形成して、これを施工地のコーナーまたは山の切開地などに前面パネル１０の背面に組立てられて内部を狭めて、適切にラウンド処理されて滑らかな外壁を有する護岸壁４０を得る。
【産業上の利用可能性】
【００２６】
本発明は、護岸壁に関連した技術分野に好適に適用され得る。
【図面の簡単な説明】
【００２７】
【図１】本発明の実施形態によって組積された護岸壁を示す全体斜視図である。
【図２】本発明に係る前面パネルを示す斜視図である。
【図３】本発明に係る前面パネルを示す平断面図である。
【図４】図３のＡ−Ａ’線による断面図である。
【図５】本発明に係る側面パネルを示す平断面図である。
【図６】本発明のパネルの組積順序による護岸壁を示す斜視図である。
【図７】本発明のパネルの組積順序による護岸壁を示す斜視図である。
【図８】本発明のパネルの組積順序による護岸壁を示す斜視図である。
【図９】本発明のパネルの組積順序による護岸壁を示す斜視図である。
【図１０】本発明のパネルの組積順序による護岸壁を示す斜視図である。
【図１１】本発明の第１実施形態に係る護岸壁を示す断面図である。
【図１２】本発明の第２実施形態に係る護岸壁を示す斜視図である。
【図１３】本発明の第３実施形態に係る護岸壁を示す前面斜視図である。
【図１４】本発明の第３実施形態に係る護岸壁を示す背面斜視図である。
【符号の説明】
【００２８】
１０  前面パネル
１１  前面半パネル
２０  背面パネル
２１  背面半パネル
３０  側面パネル
３０ｅ  排水ライン
３１  基礎パネル
３２  仕上げパネル
４０  組立パネルの護岸壁
【図１】
2006274790.tif 000003
【図２】
2006274790.tif 000004
【図３】
2006274790.tif 000005
【図４】
2006274790.tif 000006
【図５】
2006274790.tif 000007
【図６】
2006274790.tif 000008
【図７】
2006274790.tif 000009
【図８】
2006274790.tif 000010
【図９】
2006274790.tif 000011
【図１０】
2006274790.tif 000012
【図１１】
2006274790.tif 000013
【図１２】
2006274790.tif 000014
【図１３】
2006274790.tif 000015
【図１４】
2006274790.tif 000016